(57)【要約】      （修正有）【課題】使用後の吸収性物品に付着した経血等を包装材によって十分に隠蔽することが可能な吸収性物品包装体を提供する。【解決手段】吸収性物品と包装材１１とを有する吸収性物品包装体１０であって、包装材１１は第１動物図柄２０Ａと第２動物図柄２０Ｂとを有し、吸収性物品に４．５ｍｌの液体を滴下して１０分間放置したときに前記液体が拡散する最大の領域である最大拡散領域ＤＲを、吸収性物品の非肌側に包装材１１を重ねて非肌側から見たときに、長手方向における第１動物図柄２０Ａと第２動物図柄２０Ｂとのピッチが長手方向における最大拡散領域ＤＲの長さよりも短いことと、幅方向における第１動物図柄２０Ａと第２動物図柄２０Ｂとのピッチが幅方向における最大拡散領域ＤＲの長さよりも短いことのうち、少なくともいずれかの条件を満たし、第１動物図柄２０Ａ及び第２動物図柄２０Ｂの各々の面積は、最大拡散領域ＤＲの面積よりも小さい。【選択図】図５
2018127279.tif 000002
【特許請求の範囲】
【請求項１】
生理用ナプキン、パンティライナー、又は吸収パッドであって、前後方向を備える吸収性物品と、
前記吸収性物品を包装する包装材と、
を有する吸収性物品包装体であって、
前記包装材は、半分以上の領域が黒で着色された第１動物図柄と、前記第１動物図柄と所定方向に隣り合い、半分以上の領域が黒で着色された第２動物図柄と、を有し、
前記吸収性物品に４．５ｍｌの液体を滴下して１０分間放置したときに前記液体が拡散する最大の領域である最大拡散領域を、前記吸収性物品の非肌側に前記包装材を重ねて前記非肌側から見たときに、
前記包装材の長手方向における前記第１動物図柄と前記第２動物図柄とのピッチが前記長手方向における前記最大拡散領域の長さよりも短いことと、前記包装材の幅方向における前記第１動物図柄と前記第２動物図柄とのピッチが前記幅方向における前記最大拡散領域の長さよりも短いことのうち、少なくともいずれかの条件を満たし、
前記第１動物図柄及び前記第２動物図柄の各々の面積は、前記最大拡散領域の面積よりも小さい、
ことを特徴とする吸収性物品包装体。
【請求項２】
請求項１に記載の吸収性物品包装体であって、
複数の前記動物図柄が、前記吸収性物品の長手方向に沿って並んで配置されている、ことを特徴とする吸収性物品包装体。
【請求項３】
請求項２に記載の吸収性物品包装体であって、
前記長手方向において、複数の前記動物図柄が等ピッチで配置されている、ことを特徴とする吸収性物品包装体。
【請求項４】
請求項１〜３のいずれか１項に記載の吸収性物品包装体であって、
複数の前記動物図柄が、前記吸収性物品の長手方向と交差する幅方向に沿って等ピッチで並んで配置されている、ことを特徴とする吸収性物品包装体。
【請求項５】
請求項１〜４のいずれか１項に記載の吸収性物品包装体であって、
複数の前記動物図柄が、千鳥状に配置されている、ことを特徴とする吸収性物品包装体。
【請求項６】
請求項１〜５のいずれか１項に記載の吸収性物品包装体であって、
前記吸収性物品は前記非肌側に非肌側シートを有しており、
前記非肌側シートの色と、前記包装材の色とが類似色である、ことを特徴とする吸収性物品包装体。
【請求項７】
請求項１〜５のいずれか１項に記載の吸収性物品包装体であって、
前記吸収性物品は前記非肌側に非肌側シートを有しており、
前記非肌側シートの色と、前記包装材の色とが反対色である、ことを特徴とする吸収性物品包装体。
【請求項８】
請求項１〜７のいずれか１項に記載の吸収性物品包装体であって、
前記吸収性物品の長手方向において、
前記動物図柄の長さは、
前記吸収性物品の長さの１／４よりも小さい、
ことを特徴とする吸収性物品包装体。
【請求項９】
請求項１〜８のいずれか１項に記載の吸収性物品包装体であって、
前記包装材には、所定の方向に沿った帯状のストライプ部が前記所定の方向と交差する方向に間隔を空けて複数設けられている、ことを特徴とする吸収性物品包装体。
【請求項１０】
請求項９に記載の吸収性物品包装体であって、
前記ストライプ部は、赤系統の色を有している、ことを特徴とする吸収性物品包装体。
【請求項１１】
請求項１〜１０のいずれか１項に記載の吸収性物品包装体であって、
前記包装材は、疎水性のシート部材である、ことを特徴とする吸収性物品包装体。
【請求項１２】
請求項１〜１１のいずれか１項に記載の吸収性物品包装体であって、
前記動物図柄は、疎水性のインクによって、前記包装材の肌側面に印刷されている、ことを特徴とする吸収性物品包装体。
【発明の詳細な説明】
【技術分野】
【０００１】
本発明は、吸収性物品包装体に関する。
【背景技術】
【０００２】
生理用ナプキンや失禁パッド等の吸収性物品を折り畳んだ状態で、包装材（包装シート）によって個別に包装した吸収性物品包装体が知られている。このような吸収性物品包装体では、使用時に吸収性物品から包装材を取り外し、使用後には吸収性物品を包装材に包んで廃棄する使用方法が一般的である。例えば、特許文献１には、包装材（包装シート）の所定位置に表示部を設け、使用後の吸収性物品を包み込む際に包装材を折り畳むべき基準位置を明確にすることによって、吸収性物品を容易に包むことが可能な吸収性物品包装体が開示されている。
【先行技術文献】
【特許文献】
【０００３】
【特許文献１】特開２００９−１７８２７５号公報
【発明の概要】
【発明が解決しようとする課題】
【０００４】
吸収性物品の使用者（ユーザー）には、使用後の吸収性物品を廃棄する際に、経血等が付着した吸収性物品を他人の目に触れさせたくないという願望を有する人が多い。例えば、思春期の中高生ユーザーは、学校等で友達同士同じトイレを使うことが多いため、使用後のナプキンをしっかりと隠した状態で廃棄したいという願望が強い。しかしながら、従来の吸収性物品包装体では、使用後に包装材で包んだとしても、該吸収性物品に付着した経血等が包装材を透かして外側から見えてしまい、経血等を十分に隠蔽することができていなかった。
本発明は、上記のような問題に鑑みてなされたものであって、その目的とするところは、使用後の吸収性物品に付着した経血等を包装材によって十分に隠蔽することが可能な吸収性物品包装体を提供することにある。
【課題を解決するための手段】
【０００５】
上記目的を達成するための主たる発明は、生理用ナプキン、パンティライナー、又は吸収パッドであって、前後方向を備える吸収性物品と、前記吸収性物品を包装する包装材と、を有する吸収性物品包装体であって、前記包装材は、半分以上の領域が黒で着色された第１動物図柄と、前記第１動物図柄と所定方向に隣り合い、半分以上の領域が黒で着色された第２動物図柄と、を有し、前記吸収性物品に４．５ｍｌの液体を滴下して１０分間放置したときに前記液体が拡散する最大の領域である最大拡散領域を、前記吸収性物品の非肌側に前記包装材を重ねて前記非肌側から見たときに、前記包装材の長手方向における前記第１動物図柄と前記第２動物図柄とのピッチが前記長手方向における前記最大拡散領域の長さよりも短いことと、前記包装材の幅方向における前記第１動物図柄と前記第２動物図柄とのピッチが前記幅方向における前記最大拡散領域の長さよりも短いことのうち、少なくともいずれかの条件を満たし、前記第１動物図柄及び前記第２動物図柄の各々の面積は、前記最大拡散領域の面積よりも小さい、ことを特徴とする吸収性物品包装体である。
本発明の他の特徴については、本明細書及び添付図面の記載により明らかにする。
【発明の効果】
【０００６】
本発明によれば、使用後の吸収性物品に付着した経血等を包装材によって十分に隠蔽することが可能な吸収性物品包装体を提供することができる。
【図面の簡単な説明】
【０００７】
【図１】包装状態のナプキン１（包装体１０）を示す概略斜視図である。
【図２】展開した状態の包装体１０を肌側から見たときの概略平面図である。
【図３】展開した状態の包装体１０を非肌側から見たときの概略平面図である。
【図４】ナプキン１を廃棄する際の状態の一例を表す概略断面図である。
【図５】経血の最大拡散領域ＤＲが動物図柄２０によって隠蔽される状態について表す図である。
【図６】図６Ａ及び図６Ｂは、図４とは異なる方法でナプキン１を廃棄する際の状態について説明する図である
【図７】包装材１１にストライプ模様２５が設けられている場合について示す平面図である。
【発明を実施するための形態】
【０００８】
本明細書及び添付図面の記載により、少なくとも以下の事項が明らかとなる。
生理用ナプキン、パンティライナー、又は吸収パッドであって、前後方向を備える吸収性物品と、前記吸収性物品を包装する包装材と、を有する吸収性物品包装体であって、前記包装材は、半分以上の領域が黒で着色された第１動物図柄と、前記第１動物図柄と所定方向に隣り合い、半分以上の領域が黒で着色された第２動物図柄と、を有し、前記吸収性物品に４．５ｍｌの液体を滴下して１０分間放置したときに前記液体が拡散する最大の領域である最大拡散領域を、前記吸収性物品の非肌側に前記包装材を重ねて前記非肌側から見たときに、前記包装材の長手方向における前記第１動物図柄と前記第２動物図柄とのピッチが前記長手方向における前記最大拡散領域の長さよりも短いことと、前記包装材の幅方向における前記第１動物図柄と前記第２動物図柄とのピッチが前記幅方向における前記最大拡散領域の長さよりも短いことのうち、少なくともいずれかの条件を満たし、前記第１動物図柄及び前記第２動物図柄の各々の面積は、前記最大拡散領域の面積よりも小さい、ことを特徴とする吸収性物品包装体。
【０００９】
このような吸収性物品包装体によれば、使用後のナプキン（吸収性物品）の廃棄時において、ナプキンを包装材で包む際に、ナプキンに付着した経血等が黒い動物図柄と重複して隠蔽されることにより外側から見えにくくなる。また、動物のイメージが心理的に強く働くことにより、見た人の注意が経血に向きにくくなる。したがって、経血等を十分に隠蔽することができる。
【００１０】
かかる吸収性物品包装体であって、複数の前記動物図柄が、前記吸収性物品の長手方向に沿って並んで配置されている、ことが望ましい。
【００１１】
このような吸収性物品包装体によれば、長手方向に広がりやすい経血の最大拡散領域が、動物図柄と重複する確率を高くすることができる。これにより、経血をより効果的に隠蔽しやすくなる。
【００１２】
かかる吸収性物品包装体であって、前記長手方向において、複数の前記動物図柄が等ピッチで配置されている、ことが望ましい。
【００１３】
このような吸収性物品包装体によれば、使用後のナプキン（吸収性物品）の廃棄時において、ナプキンを包装材で包む際に、長手方向に沿って配置されている複数の動物図柄のうちいずれかが、長手方向において経血の最大拡散領域と重複する確率がより高くなり、経血をより隠蔽しやすくなる。
【００１４】
かかる吸収性物品包装体であって、複数の前記動物図柄が、前記吸収性物品の長手方向と交差する幅方向に沿って等ピッチで並んで配置されている、ことが望ましい。
【００１５】
このような吸収性物品包装体によれば、使用後のナプキン（吸収性物品）の廃棄時において、ナプキンを包装材で包む際に、幅方向に沿って配置されている複数の動物図柄のうちいずれかが、幅方向において経血の最大拡散領域と重複する可能性がより高くなり、経血をより隠蔽しやすくなる。また、互いの長手方向が交差するようにナプキンと包装材とが重ねられた場合であっても、動物図柄と経血の最大拡散領域とが重複する可能性が高くなり、経血を隠蔽しやすくなる。
【００１６】
かかる吸収性物品包装体であって、複数の前記動物図柄が、千鳥状に配置されている、ことが望ましい。
【００１７】
このような吸収性物品包装体によれば、吸収性物品の外側に、包装材を巻き付けるようにして廃棄する際に、包装材の第１層に配置された動物図柄と、第１層の厚さ方向に積層された第２層に配置された動物図柄との位置がずれやすくなる。したがって、外側から見た場合に、包装材の表面に占める動物図柄の面積の割合が見かけ上大きくなり、経血の最大拡散領域と動物図柄とが重複する確率が高くなる。これにより、経血の最大拡散領域が、動物図柄によってより隠蔽されやすくなる
【００１８】
かかる吸収性物品包装体であって、前記吸収性物品は前記非肌側に非肌側シートを有しており、前記非肌側シートの色と、前記包装材の色とが類似色である、ことが望ましい。
【００１９】
このような吸収性物品包装体によれば、吸収性物品の非肌側シートと包装材とが厚さ方向に重ねられたときに、両者が類似色の関係であることによって、包装材及び非肌側シートのいずれに対しても黒い動物図柄が視認されやすくなり、該動物図柄によって経血を隠蔽する効果が維持されやすい。
【００２０】
かかる吸収性物品包装体であって、前記吸収性物品は前記非肌側に非肌側シートを有しており、前記非肌側シートの色と、前記包装材の色とが反対色である、ことが望ましい。
【００２１】
このような吸収性物品包装体によれば、吸収性物品の非肌側シートと包装材とが厚さ方向に重ねられたときに、両者が重ねられた部分が全体として黒っぽく見えるようになる。したがって、両者が重ねられた部分において経血自体が視認されにくくなる。
【００２２】
かかる吸収性物品包装体であって、前記吸収性物品の長手方向において、前記動物図柄の長さは、前記吸収性物品の長さの１／４よりも小さい、ことが望ましい。
【００２３】
このような吸収性物品包装体によれば、ナプキンを長手方向に４つ折りにした場合であっても、包装材の表面において、動物図柄の全体が視認される可能性が高くなる。したがって、見た人の注意が経血よりも動物図柄に向かいやすく、経血を目立ちにくくすることができる。
【００２４】
かかる吸収性物品包装体であって、前記包装材には、所定の方向に沿った帯状のストライプ部が前記所定の方向と交差する方向に間隔を空けて複数設けられている、ことが望ましい。
【００２５】
このような吸収性物品包装体によれば、ストライプ部の少なくとも一部が経血の最大拡散領域と重複し、該最大拡散領域がストライプ部によって分割されたように見え、全体形状が認識されにくくなる。これにより、経血が目立ちにくくなる。また、ストライプ部のデザイン性により動物図柄の印象が引き立てられ、見る人の注意を経血から動物図柄に集中させやすくなる。
【００２６】
かかる吸収性物品包装体であって、前記ストライプ部は、赤系統の色を有している、ことが望ましい。
【００２７】
このような吸収性物品包装体によれば、ナプキン（吸収性物品）の非肌側から視認される経血の色は黒っぽい赤であるため、ストライプ部を同系色の赤で形成することにより、経血の最大拡散領域と重複した際に、該最大拡散領域の形状を認識させにくくすることができる。
【００２８】
かかる吸収性物品包装体であって、前記包装材は、疎水性のシート部材である、ことが望ましい。
【００２９】
このような吸収性物品包装体によれば、使用後のナプキン（吸収性物品）の廃棄時において、ナプキンを包装材で包む際に、包装材の肌側面から非肌側面に経血が滲んで、隠蔽したはずの経血が外側から視認しやすくなったり、使用者の手を汚したりすることを抑制することができる。
【００３０】
かかる吸収性物品包装体であって、前記動物図柄は、疎水性のインクによって、前記包装材の肌側面に印刷されている、ことが望ましい。
【００３１】
このような吸収性物品包装体によれば、使用後のナプキン（吸収性物品）の廃棄時において、ナプキンを包装材で包む際に、包装材の肌側面において経血が弾かれやすくなるため、包装材の非肌側面に経血が滲むことが抑制され、経血をより隠蔽しやすくすることができる。
【００３２】
＝＝＝第１実施形態＝＝＝
以下、本発明に係る吸収性物品包装体の一例として生理用ナプキン１（以下、単に「ナプキン１」とも呼ぶ）の吸収性物品包装体１０（以下、単に「包装体１０」とも呼ぶ）を例に挙げて実施形態を説明する。なお、吸収性物品は、生理用ナプキンに限らず、パンティライナー、又は吸収パッドのように、使用者の着衣に固定して使用する吸収性物品であっても良い。
＜吸収性物品包装体の基本構成＞
【００３３】
図１は、包装状態のナプキン１（包装体１０）を示す概略斜視図である。図２は、展開した状態の包装体１０を肌側から見たときの概略平面図である。図３は、展開した状態の包装体１０を非肌側から見たときの概略平面図である。
【００３４】
ナプキン１（包装体１０）は、互いに直交する長手方向、幅方向、及び厚さ方向を有する。また、ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。
【００３５】
包装体１０は、折り畳まれたナプキン１及び包装材１１を備え、図２及び図３の展開状態においては、厚さ方向の非肌側から包装材１１、保護シート１５、ナプキン１が重ねて配置されている。保護シート１５は、ナプキン１の中央粘着部６(後述)を保護するためのシート部材であり、その非肌側面が包装材１１に接合されている。一方、保護シート１５の肌側面は、シリコン樹脂等を用いた剥離加工が施されており、中央粘着部６は保護シート１５の肌側面に剥離可能に貼付されている。
【００３６】
展開状態の包装体１０（ナプキン１，包装材１１）を、後述するウイング部１Ｗ（後述）を幅方向の内側に折り畳んだ状態を形成し、続いて、ナプキン１の肌側を内側にして、幅方向に沿った第２折り畳み部Ｆ２、及び、第１折り畳み部Ｆ１にて長手方向に順次折り畳んで、幅方向の端部に熱融着等の処理を行い、包装材１１の長手方向の端部をテープ１２で係止することで、図１に示す包装状態の包装体１０となる。
＜＜ナプキン１＞＞
【００３７】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００３８】
ナプキン１は、厚さ方向の肌側から順に、肌側シート２と、吸収体４と、非肌側シート３とが積層され、接着剤等で接合されている。
【００３９】
肌側シート２は、液透過性のシート部材であり、エアスルー不織布等を例示できる。非肌側シート３は、液不透過性のシート部材であり、ポリエチレン（ＰＥ）の樹脂フィルム等を例示できる。肌側シート２及び非肌側シート３は、平面サイズが吸収体４よりも大きく、吸収体４の平面全体を覆っている。
【００４０】
吸収体４は、排泄物を吸収して内部に保持する部材である。吸収体４は、パルプ繊維等の液体吸収性繊維や、液体吸収性繊維に高吸収性ポリマー（所謂ＳＡＰ）を含有するものから構成されている。
【００４１】
吸収体４は、圧搾部５を有している。圧搾部５は、複数の円形の円形圧搾部から形成されている。図２に示すように、圧搾部５は、肌側面から視認すると、猫の図柄を表している。具体的には、前側部１Ａは猫の頭部、中央部１Ｂは猫の胴部、後側部１Ｃは猫の脚部及び尻尾を表している。
【００４２】
ナプキン１の非肌側面（つまり、非肌側シート３の非肌側面）には、中央粘着部６が設けられている（図３参照）。中央粘着部６は、長手方向の中央部１Ｂ、及び中央部１Ｂを前側及び後側に延出する領域で、且つ、幅方向の中央領域に設けられている。中央粘着部６は、ナプキン１の使用前には保護シート１５を介して包装材１１に剥離可能に貼付されている。そして、ナプキン１の使用時には、包装材１１（保護シート１５）から剥がされて下着等の着衣の肌側面に貼り付けられる。これによってナプキン１は、下着等に固定される。
【００４３】
同様に、ウイング部１Ｗの厚さ方向の非肌側面には、ウイング粘着部７が設けられている。ナプキン１の使用時にウイング部１Ｗは非肌側に折り曲げられ、ウイング粘着部７は、下着等の非肌側面に張り付けられる。これにより、ウイング部１Ｗは、下着等に固定される。
【００４４】
＜＜包装材１１＞＞
包装材１１は、ナプキン１を個別に包装するシート部材であり、不織布をラミネート加工したフィルムやプラスチックフィルム、ナイロンフィルム等の各種フィルム等から形成されている。この包装材１１は、保護シート１５を挟んでナプキン１の厚さ方向の非肌側に重ね合わせられた状態で接合されており、ナプキン１と共に、第２折り畳み部Ｆ２、第１折り畳み部Ｆ１にて長手方向に折り畳まれることにより、ナプキン１を内部に包み込むようにして包装し、包装体１０を形成する。
【００４５】
本実施形態の包装材１１には、複数の動物図柄２０が設けられている。動物図柄２０は、包装材１１の肌側面（若しくは非肌側面でも良い）に、疎水性の黒インク等を用いて印刷されている。ナプキン１の使用者は、図１の包装状態における包装体１０の外側（図３の展開状態においては非肌側）からこの動物図柄２０を視認することが可能である。動物図柄２０の詳細については、後で説明する。
【００４６】
＜ナプキン１の使用態様について＞
続いて、ナプキン１（包装体１０）の一般的な使用態様について簡単に説明する。
ナプキン１は、図１に示されるような包装状態（包装体１０）で市場に流通している。包装体１０を入手した使用者は、先ず、テープ１２の係止を剥がして、包装体１０を図２，図３のように展開する。そして、ナプキン１の非肌側から包装材１１（及び保護シート１５）を剥がして、中央粘着部６及びウイング粘着部７の粘着面を露出させ、該粘着部６，７によってナプキン１を下着に固定して使用（着用）する。このとき、使用者は、取り外した包装体１０を廃棄せず、鞄等に入れて保管しておく。
【００４７】
ナプキン１の使用後は、下着から粘着部６，７を剥がしてナプキン１を取り外し、ゴミ箱等に廃棄する。使用者がナプキン１を廃棄する際には、ナプキン１の外側を包装体１０で包み込むようにして丸めたり折り畳んだりしてから廃棄することが一般的である。使用後のナプキン１には経血等が付着しているため、包装体１０で包み込むことによって経血を隠蔽し、他人の目に触れにくくさせるためである。
【００４８】
図４は、ナプキン１を廃棄する際の状態の一例を表す概略断面図である。同図４の例では、使用後のナプキン１が包装材１１と重ねられた状態で、包装材１１が外側になるように長手方向に丸められ、包装材１１の長手方向端部がテープ１２によって固定されている。このようにすれば、使用者は、使用済みのナプキン１を外部に露出させることなく、コンパクトな形状で廃棄することができる。
【００４９】
しかしながら、包装材１１はフィルム等によって構成され、ある程度の光透過性を有していることから、図４の状態において包装材１１の外側から、内部のナプキン１に付着している経血が透けて見えてしまう場合がある。すなわち、経血を十分に隠蔽することができないおそれがある。
【００５０】
そこで、本実施形態では、包装材１１に所定の動物図柄２０を設けることにより、使用後のナプキン１と重ねた際に、該動物図柄２０によってナプキン１に付着した経血等を十分に隠蔽できるようにしている。以下、本実施形態のナプキン１の包装材１１に設けられる動物図柄２０の詳細について説明する。
【００５１】
＜動物図柄２０の詳細について＞
はじめに、動物図柄２０よって隠蔽する対象となる「経血」の拡散領域について定義しておく。経血の拡散領域は、個人差や使用状況によって変化するため、予め以下の実験を行い、ナプキン１の通常の使用態様において経血が拡散する最大の領域を「最大拡散領域」とする。
【００５２】
実験では、先ず、ナプキン１の肌側面の中央部に、１０秒間で４．５ｍｌ、すなわち、２７ｍｌ／ｍｉｎの速度で液体（例えば、人工経血）を滴下し、３０秒放置する。人工経血の滴下量（４．５ｍｌ）は、ナプキン１の使用者として想定される複数の女性を試験者としてナプキン１の試用テストを実施した際の、経血の平均吸収量から決定された量である。また、本実験において、ナプキン１に滴下する液体（人工経血）は、例えば、イオン交換水１Ｌに対して、グリセリン８０ｇ，カルボキシメチルセルロースナトリウム８ｇ，塩化ナトリウム１０ｇ，炭酸水素ナトリウム４ｇ，赤色１０２号８ｇ、赤色２号２ｇ，黄色５号２ｇを加えて十分に攪拌したものである。当該液体（人工血液）の粘度を粘度測定器（芝浦システム社製 ビスメトロン 型式ＶＧＡ−４）で測定した値は、２２〜２６ｍＰａ・ｓ程度である。
【００５３】
次に、人工経血が滴下された部分におもりを載せて、３０ｇ／ｃｍ２の圧力がかかった状態で１０分間放置する。この圧力（３０ｇ／ｃｍ２）は、ナプキン１の着用時において、該ナプキン１の中央部に加わる圧力を想定した値である。そして、１０分間放置後に、ナプキン１の非肌側面において人工経血が拡散している領域を最大拡散領域ＤＲとして、長手方向の長さを計測する。この実験を１０回行い、その平均値を最大拡散領域ＤＲの長手方向における長さＬｄｒとする。同様に、最大拡散領域ＤＲの幅方向の長さについても１０回計測を行い、その平均値を最大拡散領域ＤＲの幅方向における長さＷｄｒとする。
【００５４】
なお、ナプキン１を廃棄する際には、経血を吸収する面である肌側面が内側になるようにナプキン１が丸められたり折り畳まれたりすることが大半であることから、ナプキン１の非肌側面において経血が視認されることとなる。つまり、隠蔽対象となるのは、ナプキン１の非肌側面に拡散している経血である。したがって、上述の実験では、ナプキン１の非肌側面における経血の「最大拡散領域」について測定を行っている。
【００５５】
測定の結果、最大拡散領域ＤＲの長手方向における長さＬｄｒ＝４４ｍｍ、幅方向における長さＷｄｒ＝２７ｍｍであった。なお、ナプキン１では、使用者の膣口にあわせて長手方向に経血が拡散しやすくなっているため、最大拡散領域ＤＲの長手方向における長さＬｄｒが、幅方向における長さＷｄｒよりも長くなっている。
【００５６】
図５は、経血の最大拡散領域ＤＲが動物図柄２０によって隠蔽される状態について表す図である。同図５は、図３と同様に、展開した状態のナプキン１を非肌側から見たときについて表したものであり、図４のナプキン１及び包装材１１を広げた状態に相当する。また、図５において、砂地で示される部分が最大拡散領域ＤＲを表している。
【００５７】
本実施形態の包装材１１には、長手方向及び幅方向に所定のピッチで、複数の動物図柄２０，２０…が並んで配置されている。動物図柄２０は、動物のシルエットを表しており、半分以上の領域が「黒」で着色されている。図５では、動物図柄２０として、首にリボンを付けた黒猫が座っている姿が示されている。そして、リボン以外の部分が黒で着色されている。なお、ここでいう「黒」は、厳密な意味での黒である必要はなく、使用者が視覚的に、黒に近い色と認識できるのであれば、濃いグレーや褐色、茶色等、他の色が混ざっていても良い。例えば、ＲＧＢ表色系において、必ずしも（０，０，０）である必要はなく、（０，０，１０）等であっても良い。さらに言うと、動物図柄２０を形成する「黒」は、使用後のナプキン１の非肌側に包装材１１を重ねた際に経血を隠蔽することが可能な程度に黒ければ良い。本実施形態では、図５に示されるように、経血の最大拡散領域ＤＲよりも濃い色（黒）で動物図柄２０が形成されていることにより、最大拡散領域ＤＲの外観形状が認識しにくくなり、経血を目立ちにくくすることができる。
【００５８】
また、動物図柄２０は、星型やハート型等の単純な幾何学模様でなく、動物の図柄であることにより、該動物図柄２０を見た人は、動物（図５では猫）のかわいらしいイメージを想起しやすい。さらに言うと、そのポーズや表情等により見た人がその図柄に何かしらの感情を抱くことがあり、生理用ナプキンやライナー等に用いた場合には幾何学模様よりも強く目を引くことが確認されている。すなわち、経血のイメージよりも動物のイメージの方が心理的に強く作用することにより、見た人の注意が経血に向きにくくなる。したがって、動物図柄２０によって経血を隠蔽する効果が大きくなる。なお、動物図柄２０は、猫以外の他の動物であっても良いし、異なるポーズを取っていても良い。
【００５９】
そして、図５に示されるように、各々の動物図柄２０の面積Ｓ２０は、最大拡散領域ＤＲの面積Ｓｄｒよりも小さい。仮に、動物図柄２０の面積Ｓ２０が最大拡散領域ＤＲの面積Ｓｄｒよりも大きかった場合、動物図柄２０が経血の拡散によって形成されているもの誤認されるおそれがある。すなわち、包装材１１の非肌側から見た時に、大きな面積を有する黒い模様が目につきやすく、一見して動物図柄２０自体が経血の広がりであるかのように見えてしまうおそれがある。これに対して、本実施形態では、動物図柄２０の面積Ｓ２０を最大拡散領域ＤＲの面積Ｓｄｒよりも小さくすることにより、各々の動物図柄２０が経血であるという誤解を生じさせにくい。
【００６０】
また、隣り合う２つの動物図柄２０，２０の長手方向におけるピッチが最大拡散領域ＤＲの長手方向における長さＬｄｒよりも短いことと、隣り合う２つの動物図柄２０，２０の幅方向におけるピッチが最大拡散領域ＤＲの幅方向における長さＷｄｒよりも短いこととの、少なくともいずれかの条件を満たすように、各々の動物図柄２０が配置されている。図５では、動物図柄２０Ａ（第１動物図柄）と、該動物図柄２０Ａの斜め下に隣り合う動物図柄２０Ｂ（第２動物図柄）との長手方向におけるピッチＰ１は、最大拡散領域ＤＲの長手方向における長さＬｄｒよりも短くなっている。同様に、動物図柄２０Ａと動物図柄２０Ｂとの幅方向におけるピッチＰ２は、最大拡散領域ＤＲの幅方向における長さＷｄｒよりも短くなっている。このような関係であれば、隣り合って配置される動物図柄２０Ａ及び動物図柄２０Ｂのうち、少なくとも一方は最大拡散領域ＤＲと重複する可能性が高くなる。したがって、動物図柄２０によって経血が隠蔽される確率を高くすることができる。
【００６１】
なお、図５において、動物図柄２０Ａと、該動物図柄２０Ａの長手方向に隣り合う動物図柄２０Ｃとの幅方向におけるピッチ（＝０）は、最大拡散領域ＤＲの幅方向における長さＷｄｒよりも短い。また、動物図柄２０Ａと、該動物図柄２０Ａの幅方向に隣り合う動物図柄２０Ｄとの長手方向におけるピッチ（＝０）は、最大拡散領域ＤＲの長手方向における長さＬｄｒよりも短い。したがって、いずれの場合も上述の条件を満たし、本実施形態の包装材１１では、動物図柄２０によって効率的に経血（最大拡散領域ＤＲ）を隠蔽することができる。
【００６２】
ところで、最大拡散領域ＤＲは、上述のように長手方向における長さＬｄｒが幅方向における長さＷｄｒよりも長くなる傾向がある。すなわち、ナプキン１では経血を長手方向に拡散させやすくなっている。これに対して、本実施形態の包装材１１では、少なくとも長手方向において２つの動物図柄２０，２０（例えば、図５の動物図柄２０Ａ，２０Ｃ）が並んで配置されていることにより、長手方向に広がった経血（最大拡散領域ＤＲ）と動物図柄２０とが重複する確率を高くすることができる。これにより、長手方向に広がった経血をより効果的に隠蔽しやすくなる。
【００６３】
さらに、本実施形態の包装材１１では、長手方向に隣り合う動物図柄２０，２０…が等ピッチで配置されている。すなわち、包装材１１において、動物図柄２０は長手方向に沿って規則的に配置されている。したがって、ナプキン１の廃棄時に、ナプキン１と包装材１１とを重ね合わせる際に、重ねた位置によらず長手方向に沿って配置されている複数の動物図柄２０のうちいずれかが、長手方向において最大拡散領域ＤＲと重複する可能性がより高くなり、経血を隠蔽しやすくなる。
【００６４】
同様に、本実施形態の包装材１１では、少なくとも幅方向において動物図柄２０，２０（例えば、図５の動物図柄２０Ａ，２０Ｄ）が並んで配置され、且つ、幅方向に隣り合う動物図柄２０，２０…が等ピッチで配置されている。したがって、ナプキン１の廃棄時に、ナプキン１と包装材１１とを重ね合わせた際に、幅方向に沿って配置されている複数の動物図柄２０のうちいずれかが、幅方向において最大拡散領域ＤＲと重複する可能性がより高くなり、経血を隠蔽しやすくなる。
【００６５】
なお、ナプキン１と包装材１１とを重ね合わせる際に、ナプキン１の長手方向と包装材１１の長手方向とが互いにずれる場合もある。例えば、ナプキン１の長手方向と包装材１１の長手方向とが交差するように両者が重ねられる場合がある。このような場合であっても、動物図柄２０，２０…が長手方向及び幅方向に等ピッチで規則正しく配置されていることにより、動物図柄２０と最大拡散領域ＤＲとが重複しやすくなるため、経血を隠蔽しやすくなる。
【００６６】
また、本実施形態の包装材１１では、動物図柄２０，２０…が千鳥配置状に設けられている（図３等参照）。動物図柄２０を千鳥状に配置することにより、包装材１１の単位面積あたりに占める動物図柄２０の面積の割合を高くすることが可能となり、動物図柄２０と最大拡散領域ＤＲとが重複する可能性をより高めることができる。なお、「千鳥配置」とは、幅方向に等ピッチで並ぶ動物図柄２０，２０…の列を動物図柄列としたとき、長手方向に隣り合う２つの動物図柄列が幅方向においてずれていることを言う。図５の例では、動物図柄２０Ａ及び２０Ｄを含む動物図柄列と、動物図柄２０Ｂを含む動物図柄列とで、幅方向において動物図柄２０Ａ（動物図柄２０Ｄ）と動物図柄２０Ｂとの位置がずれている。本明細書では、このような状態を千鳥配置とする。
【００６７】
また、動物図柄２０が千鳥配置であることにより、ナプキン１の廃棄時に、図６のようにして包装材１１でナプキン１を包み込む際に、最大拡散領域ＤＲを視認しにくくすることができる。図６Ａ及び図６Ｂは、図４とは異なる方法でナプキン１を廃棄する際の状態について説明する図である。図６Ａは、ナプキン１を長手方向に４つ折りにしてから、外側に包装材１１を巻き付けたときの状態を表す平面図である。図６Ｂは、図６ＡのＡ−Ａ断面を示す概略断面図である。ナプキンの使用者には、使用後のナプキンに付着した経血を少しでも見えにくくしたいという願望を有している人が多い。そのため、使用後のナプキン（ナプキン１）を、肌側面が内側になるように長手方向の中央部分で２つ折りに折り畳むことで、肌側面を隠そうとする場合がある。そして、よりコンパクトな形態で廃棄するために、ナプキン（ナプキン１）を長手方向に再度折り畳んで４つ折り状態として、図６Ｂのように外側に包装材（包装材１１）を巻き付けてナプキンを廃棄する動作が行われる。
【００６８】
図６のように４つ折り状態のナプキン１の外側に包装材１１を巻き付けた場合であっても、ナプキン１に付着した経血（最大拡散領域ＤＲ）は、包装材１１を透かして外側から視認されるがある。これに対して、本実施形態では、包装材１１に動物図柄２０が設けられていることにより、上述のように最大拡散領域ＤＲが視認されにくくなっている。さらに、動物図柄２０が千鳥状に配置（千鳥配置）されていることにより、包装材１１が厚さ方向に重なり合う領域において、動物図柄２０の位置が分散し、経血の最大拡散領域ＤＲと重複しやすくなる。
【００６９】
例えば、図６Ａ及び図６Ｂにおいて、包装材１１の厚さ方向の最も外側の第１層１１ｓ１には動物図柄２０Ａ及び２０Ｄが配置され、外側から視認可能となっている。また、包装材１１の第１層１１ｓ１の厚さ方向の内側（図６Ｂでは下側）に重ねられている第２層１１ｓ２には動物図柄２０Ｅが配置されている。そして、第１層１１ｓ１を透かして動物図柄２０Ｅが視認可能である。このとき、動物図柄２０Ｅは、図６Ａに示されるように幅方向において動物図柄２０Ａ及び２０Ｄの間に位置している。つまり、外側から見た場合に、包装材１１の表面に占める動物図柄２０の面積の割合が大きくなり、経血の最大拡散領域ＤＲと動物図柄２０とが重複する確率が高くなる。したがって、経血の最大拡散領域ＤＲが、動物図柄２０によってより隠蔽されやすくなる。このように、ナプキン１（包装体１０）について想定される使用態様に応じて動物図柄２０の配置を調整することにより、経血等をより効果的に隠蔽することができる。
【００７０】
また、動物図柄２０の長手方向における長さＬ２０は、ナプキン１の長手方向における長さＬ１の１／４よりも小さいことが望ましい（０．２５×Ｌ１＞Ｌ２０）。図６のようにナプキン１を４つ折りにして外側に包装材１１を巻き付けた場合、包装材１１の長手方向における視認可能範囲は、ナプキン１の長手方向における長さの１／４となる。仮に、動物図柄２０の長手方向における長さＬ２０が、ナプキン１の長手方向における長さＬ１の１／４よりも大きかった場合、包装材１１の表面に動物図柄２０の全体が収まらず、長手方向の一部が必ず途切れてしまうことになる。この場合、動物図柄２０が「動物」の図柄であることが認識されにくくなり、上述したようなかわいらしい動物のイメージ基づく心理的な作用が働きにくくなる。
【００７１】
これに対して、動物図柄２０の長手方向における長さＬ２０を、ナプキン１の長手方向における長さＬ１の１／４よりも小さくすることで、ナプキン１を４つ折りにした状態でも、包装材１１の表面において、動物図柄２０の全体が視認される可能性が高くなる。したがって、見た人の注意が経血よりも動物図柄２０に向かいやすく、経血（最大拡散領域ＤＲ）を目立ちにくくすることができる。
【００７２】
また、吸収体４（ナプキン１）の非肌側シート３の色と、包装材１１の色とが類似色の関係になるように、包装材１１及び非肌側シート３の色を調整すると良い。本実施形態において「類似色」とは、色相環（例えば、オストワルト色相環）で互いに隣り合う色のことを言う。例えば「レッド（Ｒ）」と「オレンジ（Ｏ）」は類似色の関係となる。
【００７３】
ナプキン１を廃棄する際には、図５や図６で説明したように、吸収体４の非肌側に包装材１１が重ねられる。すなわち、非肌側シート３と包装材１１とが厚さ方向に重ねられる。このとき、両者が類似色の関係であれば、非肌側シート３と重なった場合であっても、黒で着色されている動物図柄２０の輪郭が認識されやすい。すなわち、包装材１１及び非肌側シート３のいずれに対しても動物図柄２０の黒が視認されやすく、該動物図柄２０によって経血を隠蔽する効果が維持されやすい。
【００７４】
逆に、吸収体４（ナプキン１）の非肌側シート３の色と、包装材１１の色とが反対色（補色）の関係になるように、包装材１１及び非肌側シート３の色を調整しても良い。本実施形態において「反対色（捕色）」とは、色相環（例えば、オストワルト色相環）で互いに反対側にある色、及びその両隣にある類似色のことを言う。例えば「レッド（Ｒ）」に対して「シーグリーン（ＳＧ）」や「リーフグリーン（ＬＧ）」は反対色となる。
【００７５】
非肌側シート３と包装材１１とが反対色である場合、両者が重ねられた部分は、全体として黒っぽく見えるようになる。この場合、経血自体が視認されにくくなるため、経血を隠蔽する効果を得ることができる。
【００７６】
また、包装材１１に、動物図柄２０以外の他の図柄や模様が設けられていても良い。図７は、包装材１１にストライプ部２５が設けられている場合について示す平面図である。同図７では、動物図柄２０に加えて、長手方向に沿った帯状のストライプ部２５が包装材１１の幅方向に間隔を空けて複数設けられている。但し、ストライプ部２５の形状は図７の例には限られず、幅方向に沿った帯状のストライプが長手方向に間隔を空けて複数設けられていても良い。本実施形態におけるストライプ部２５は、動物図柄２０と同様に、印刷によって形成することができる。
【００７７】
このように長手方向（若しくはその他の方向）に延びるストライプ部２５を有する包装材１１を使用済みのナプキン１の非肌側に重ねると、図７のようにストライプ部２５の少なくとも一部が経血の最大拡散領域ＤＲと重複する。すなわち、最大拡散領域ＤＲがストライプ部２５によって分割されたようになり、最大拡散領域ＤＲの全体形状が認識しにくくなる。これにより、最大拡散領域ＤＲが目立ちにくくなる。また、このようなストライプ部２５が設けられることにより、包装材１１のデザイン性を高めると共に、包装材１１における動物図柄２０のかわいらしい印象を引き立てることができる。すなわち、見る人の注意を経血から動物図柄２０に集中させやすくなる。このように、ストライプ部２５を動物図柄２０と組み合わせることで、経血（最大拡散領域ＤＲ）を隠蔽する効果をより高めることができる。
【００７８】
なお、ストライプ部２５は、必ずしも包装材１１の長手方向の全体に亘って形成されている必要はなく、長手方向において途中で途切れている箇所があっても良い。但し、最大拡散領域ＤＲを分断するために、ストライプ部２５の長手方向における長さは、最大拡散領域ＤＲの長手方向における長さＬｄｒよりも長いことが望ましい。また、ストライプ部２５の幅方向における長さは、最大拡散領域ＤＲの幅方向における長さＷｄｒよりも短いことが望ましい。
【００７９】
また、ストライプ部２５は、赤系統の色を有していることが望ましい。ナプキン１の非肌側から視認される経血（最大拡散領域ＤＲ）の色は、黒っぽい赤である。そのため、ストライプ部２５を同系色の赤で形成することにより、最大拡散領域ＤＲと重複した際に、該最大拡散領域ＤＲの形状をより認識させにくくすることができる。なお、「赤系統」とは、所謂「赤」及びそれに近い色（ピンク、オレンジ等）のことを指す。例えば、マンセル表色系において「５Ｒ」で表される色、及び、マンセル色相環で５Ｒに隣り合う５ＲＰ〜５ＹＲの範囲に含まれる複数の色である。
【００８０】
また、包装材１１は、疎水性のシート部材によって形成されていることが望ましい。使用後に経血が付着したナプキン１の外側（非肌側）を包み込む際に、包装材１１の肌側面から非肌側面に経血が滲んで、隠蔽したはずの経血が外側から視認しやすくなったり、使用者の手を汚したりすることを抑制するためである。本実施形態では、上述したように、液不透過性のフィルム等によって包装材１１が形成されており、図４や図６のようにナプキン１の外側を包んだ場合であっても包装材１１が経血を弾くため、ナプキン１を廃棄した後でも継続して経血を隠蔽することができる。
【００８１】
また、動物図柄２０やストライプ部２５は、疎水性のインクによって印刷されており、さらに、包装材１１の肌側面に設けられていることが望ましい。すなわち、ナプキン１の廃棄時において、包装材１１のうちナプキン１の非肌側面と接する側の面に疎水性のインクによって印刷されていることが望ましい。このような構成であれば、ナプキン１と重ねた時に、包装材１１の肌側面において経血が弾かれやすくなるため、包装材１１の非肌側面に経血が滲むことが抑制され、経血をより隠蔽しやすくすることができる。
【００８２】
また、動物図柄２０とストライプ部２５とで液体（経血）の弾き易さを異ならせるようにすると良い。例えば、印刷に使用するインクの種類や量を調節することにより、包装材１１において、動物図柄２０が形成されている領域の方がそれ以外の領域（ストライプ部２５及び何も印刷されていない部分）よりも液体を弾きにくくなるようにする。このような構成であれば、ナプキン１を廃棄する際に丸めた使用後のナプキン１から経血が漏れ出た場合に、漏れ出た経血が動物図柄２０になじみ易く、その周りではより弾かれやすくなる。したがって、動物図柄２０が印刷されている部分に経血が集まりやすくなり、該動物図柄２０によって経血がより隠蔽されやすくなる。
【００８３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００８４】
上述の実施形態では、吸収性物品の一例として、図２，図３に示されるようなウイング部１Ｗを有するナプキン１について説明されていたが、吸収性物品の形状や構成はこの限りではない。例えば、ナプキン１がウイング部１Ｗを有していなくても良い。また、図２では、ナプキン１（吸収性物品）の表面に複数の円形の円形圧搾部からなる圧搾部５が設けられていたが、他の形状の圧搾部５が設けられていても良いし、圧搾部５が設けられていなくても良い。
【００８５】
上述の実施形態では、図１に示されるように、ナプキン１及び包装シート１１が、第１折り畳み部Ｆ１及び第２折り畳み部Ｆ２にて折り畳まれることにより、縦方向に三つ折りにされた個包装状態の包装体１０の例について説明されていたが、ナプキン１の折り畳み方はこの限りではない。例えば、ナプキン１が２つ折りや、４つ折り以上に折り畳まれる構成であっても良い。
【符号の説明】
【００８６】
１  生理用ナプキン（ナプキン、吸収性物品）、
１Ａ  前側部、１Ｂ  中央部、１Ｃ  後側部、
１Ｗ  ウイング部、
２  肌側シート、
３  非肌側シート、
４  吸収体、
５  圧搾部、
６  中央粘着部、
７  ウイング粘着部、
１０  包装体、
１１  包装材、
１１ｓ１  第１層、１１ｓ２  第２層、
１２  テープ、
１５  保護シート、
２０  動物図柄、
２０Ａ  動物図柄（第１動物図柄）、
２０Ｂ  動物図柄（第２動物図柄）、
２０Ｃ  動物図柄、２０Ｄ  動物図柄、２０Ｅ  動物図柄、
２５  ストライプ部、
ＤＲ  最大拡散領域
【図１】
2018127279.tif 000003
【図２】
2018127279.tif 000004
【図３】
2018127279.tif 000005
【図４】
2018127279.tif 000006
【図５】
2018127279.tif 000007
【図６】
2018127279.tif 000008
【図７】
2018127279.tif 000009